(57)【要約】【課題】  本発明は、製作作業が容易で取り付け精度が容易に得られる戸袋パネルを提供することを可能にすることを目的としている。【解決手段】  引き戸２の戸袋パネル１であって、鴨居材３及び敷居材４に取り付けられる金属製の戸袋パネル１の上下端部１ａ，１ｂが断面Ｌ字形状に折曲して形成され、柱材５に取り付けられる金属製の戸袋パネル１の一方の縦端部１ｃが断面コ字形状に折曲して形成され、戸袋パネル１の左右方向の中間部に、該戸袋パネル１面に当接して取り付ける取付片７ａと、該取付片７ａに対して起立した起立片７ｂと、該起立片７ｂに接続され且つ表面材となる石膏ボード８を取り付ける水平片７ｃとを有する金属製の縦材７を設けた構成であることを特徴とする。【選択図】      図１
2010150827.tif 000002
【特許請求の範囲】
【請求項１】
引き戸の戸袋パネルであって、
鴨居材及び敷居材に取り付けられる金属製の戸袋パネルの上下端部が断面Ｌ字形状に折曲して形成され、
柱材に取り付けられる前記金属製の戸袋パネルの一方の縦端部が断面コ字形状に折曲して形成され、
前記戸袋パネルの左右方向の中間部に、該戸袋パネル面に当接して取り付ける取付片と、該取付片に対して起立した起立片と、該起立片に接続され且つ表面材を取り付ける水平片とを有する金属製の縦材を設けたことを特徴とする戸袋パネル。
【請求項２】
前記戸袋パネルの左右方向の中間部に前記縦材が少なくとも２本設けられ、
隣設する前記縦材間の離間間隔に対応して左右方向の長さが設定された下地用面材の左右両端部に、該下地用面材の上下方向の長さよりも長い断面コ字形状の枠材を嵌合すると共に、該枠材を隣設する前記縦材間で且つ前記戸袋パネル面に当接し、該枠材の前記下地用面材からの突出部を前記縦材に固定することを特徴とする請求項１に記載の戸袋パネル。
【請求項３】
前記縦材の取付片は前記戸袋パネル面に対して両面接着テープにより固定されたことを特徴とする請求項１または請求項２に記載の戸袋パネル。
【発明の詳細な説明】
【技術分野】
【０００１】
本発明は、引き戸の戸袋パネルに関するものである。
【背景技術】
【０００２】
従来、部屋のスペースを有効利用したり、室内意匠を向上するために引き戸を戸袋に収める方法が用いられる。このような戸袋パネルの技術としては、特開２００５−１３９７４９号公報（特許文献１）が提案されている。この技術は、戸袋内部の見えがかりとなる部分を体裁良くするための化粧合板からなる面材パネルと、該面材パネル自体を敷居、鴨居、柱に固定するためのパネル上下及びパネル縦端部のパネル周辺に配置する断面コ字形状の金属製枠と、パネル表面に石膏ボードを張るためのパネル中間部に配置する金属製縦枠と、パネル開口部に配置する額縁を固定するための断面コ字形状の鋼製の補強材を組み込んだ木製縦枠を有して構成される。
【０００３】
【特許文献１】特開２００５−１３９７４９号公報
【発明の開示】
【発明が解決しようとする課題】
【０００４】
しかしながら、前述の特許文献１の技術では、化粧合板からなる面材パネルと金属製枠とが別体であるため、それらを組み立てる必要があり、戸袋パネルは室内の鴨居と敷居との開口部に取り付けられるため、化粧合板からなる面材パネルと金属製枠との位置がずれないように戸袋パネル自体を上下寸法及び幅寸法を精度良く組み立てる必要があった。
【０００５】
また、戸袋内部の空間は引き戸により指先が引き込まれないように狭くする必要があるため戸袋パネルと引き戸との間の隙間が小さく、ベニヤ板が経年により反ってしまうとベニヤ板が引き戸に接触し、引き戸に傷がつくおそれがある。このため該ベニヤ板の反りを防止するため金属製枠に対して細かいピッチで多数のビス止めをしなければならないといった問題があった。また、ビスが斜めに打ち込まれていると、ビス頭と引き戸が接触する可能性もあった。
【０００６】
本発明は前記課題を解決するものであり、その目的とするところは、製作作業が容易で取り付け精度が容易に得られる戸袋パネルを提供せんとするものである。
【課題を解決するための手段】
【０００７】
前記目的を達成するための本発明に係る戸袋パネルの第１の構成は、引き戸の戸袋パネルであって、鴨居材及び敷居材に取り付けられる金属製の戸袋パネルの上下端部が断面Ｌ字形状に折曲して形成され、柱材に取り付けられる前記金属製の戸袋パネルの一方の縦端部が断面コ字形状に折曲して形成され、前記戸袋パネルの左右方向の中間部に、該戸袋パネル面に当接して取り付ける取付片と、該取付片に対して起立した起立片と、該起立片に接続され且つ表面材を取り付ける水平片とを有する金属製の縦材を設けたことを特徴とする。
【０００８】
また、本発明に係る戸袋パネルの第２の構成は、前記第１の構成において、前記戸袋パネルの左右方向の中間部に前記縦材が少なくとも２本設けられ、隣設する前記縦材間の離間間隔に対応して左右方向の長さが設定された下地用面材の左右両端部に、該下地用面材の上下方向の長さよりも長い断面コ字形状の枠材を嵌合すると共に、該枠材を隣設する前記縦材間で且つ前記戸袋パネル面に当接し、該枠材の前記下地用面材からの突出部を前記縦材に固定することを特徴とする。
【０００９】
また、本発明に係る戸袋パネルの第３の構成は、前記第１、第２の構成において、前記縦材の取付片は前記戸袋パネル面に対して両面接着テープにより固定されたことを特徴とする。
【発明の効果】
【００１０】
本発明に係る戸袋パネルの第１の構成によれば、鴨居材、敷居材、柱材に対する取付部を金属製の戸袋パネルに一体的に形成した構成であるため、戸袋パネルの周辺に別途、取付用の枠材を取り付ける必要がなく製作が容易に出来、戸袋パネルの上下寸法及び幅寸法についても高い精度が容易に得られる。
【００１１】
また、本発明に係る戸袋パネルの第２の構成によれば、戸袋パネル面に当接して下地用面材を容易に取り付けることが出来、該下地用面材を利用して手摺り等を取り付けることが出来る。
【００１２】
また、本発明に係る戸袋パネルの第３の構成によれば、縦材の取付片を戸袋パネル面に対して両面接着テープにより固定することでビス止めなどの工数を減らして組み立て作業を容易にすることが出来る。
【発明を実施するための最良の形態】
【００１３】
図により本発明に係る戸袋パネルの一実施形態を具体的に説明する。図１は本発明に係る戸袋パネルの構成を示す斜視説明図、図２（ａ）は図１のＡ−Ａ断面図、図２（ｂ）は図１のＢ−Ｂ断面図、図３は本発明に係る戸袋パネルを鴨居材と敷居材と柱材に取り付けた様子を示す斜視説明図、図４（ａ）は図３のＣ−Ｃ断面図、図４（ｂ）は図３のＤ−Ｄ断面図、図５（ａ）は戸袋パネル面に当接して下地用面材を取り付けた様子を示す正面図、図５（ｂ）は下地用面材の左右両端部に断面コ字形状の枠材を嵌合した様子を示す斜視図、図５（ｃ）は戸袋パネル面に当接して取り付けた下地用面材に手摺りを取り付けた様子を示す断面説明図である。
【００１４】
図１〜図５において、１は引き戸２の戸袋パネルであって、鴨居材３及び敷居材４に取り付けられる金属製の戸袋パネル１の上端部１ａ及び下端部１ｂが断面Ｌ字形状に折曲して形成され、柱材５に取り付けられる金属製の戸袋パネル１の一方の縦端部１ｃが断面コ字形状に折曲して形成される。また、柱材５と反対側の開口側に配置される金属製の戸袋パネル１の他方の縦端部１ｄは平板状のパネル面とされ、その平板面に木製の縦材６が両面テープ11とビス13を併用して取り付けられている。
【００１５】
本実施形態の戸袋パネル１は厚さ０．４mm程度の薄い鋼板製の面材をプレス加工により折曲して製作したものであり、上下寸法及び幅寸法は高い精度が得られる。また、木製の縦材６の一端部には金属製の断面コ字形状の補強材17が嵌合されてビス13により固定されている。
【００１６】
戸袋パネル１の左右方向の中間部には、該戸袋パネル１面に当接して取り付ける取付片７ａと、該取付片７ａに対して起立した起立片７ｂと、該起立片７ｂに接続され且つ表面材となる石膏ボード８を取り付ける水平片７ｃとを有する金属製の縦材７が設けれる。縦材７の取付片７ａは戸袋パネル１面に対して両面接着テープ11により固定される。
【００１７】
金属製の縦材７の取付片７ａの表面に両面テープ11を貼着して戸袋パネル１面に取り付ける際に、両面テープ11の粘着面が露出した状態で縦材７を斜めに入れ込んで向きを変える作業が困難となることから、戸袋パネル１の上端部１ａ及び下端部１ｂを断面Ｌ字形状に折曲して形成したことで、縦材７を戸袋パネル１面の正面から入れ込むことが容易に出来る。尚、両面テープ11とビス13を併用して固定することでも良い。この場合、ビス13の数を少なくすることが出来る。本実施形態では縦材７の上下端部のみをビス13により固定したものである。
【００１８】
本実施形態の金属製の縦材７は断面ロ字形状（角筒状）で形成された一例であるが、戸袋パネル１面に当接して取り付ける取付片７ａと、該取付片７ａに対して起立した起立片７ｂと、該起立片７ｂに接続され且つ表面材となる石膏ボード８を取り付ける水平片７ｃとを有する形状であれば良く、例えば、断面コ字形状や断面ハット型形状や断面Ｈ型形状や断面Ｚ型形状等種々の形状のものが適用出来る。
【００１９】
本実施形態の戸袋パネル１は、金属製であり、上端部１ａ及び下端部１ｂが断面Ｌ字形状に折曲して形成され、柱材５に取り付けられる側の一方の縦端部１ｃが断面コ字形状に折曲して形成され、更に左右方向の中間部に金属製の縦材７を設けたことで、持ち運び、下地としての強度等に必要とされる剛性が得られる。またベニヤ板等を用いる場合と比較して経年変化による反りなどの発生が減少する。
【００２０】
図５は戸袋パネル１面に当接して下地用面材９を取り付け、該下地用面材９を利用して手摺り10を取り付けた場合の一例を示す。本実施形態では、戸袋パネル１の左右方向の中間部に金属製の縦材７が２本設けられ、隣設する縦材７間の離間間隔に対応して左右方向の長さが設定された下地用面材９の左右両端部に、該下地用面材９の上下方向の長さよりも長い断面コ字形状の枠材12を嵌合すると共に、該枠材12を隣設する縦材７間で且つ戸袋パネル１面に当接し、該枠材12の下地用面材９からの突出部12ａを縦材７の起立片７ｂに固定することで、下地用面材９を戸袋パネル１面に当接して取り付けることが出来る。そして、図５（ｃ）に示すように、下地用面材９に手摺り10を固定することが出来る。
【００２１】
本実施形態では下地用面材９を２枚の合板を貼り合わせ、その左右両端部に断面コ字形状の枠材12を嵌合させてビス13により固定したものである。また、本実施形態の枠材12は裏面側の水平片12ｂの幅が表面側の水平片12ｃの幅よりも大きく構成されており実際には断面Ｊ字形状で構成された一例である。尚、下地用面材９は２枚の合板に限らず１枚或いは他の複数の各種面材を使用することが出来る。
【００２２】
戸袋パネル１に手摺り10を固定する場合、該手摺り10には機能上荷重がかかるため、このような下地用面材９の取り付け構造とすることで十分な強度が得られるものである。また、下地用面材９を構成する合板の小口面にビス止めする必要がなく、戸袋パネル１の厚さ方向の幅が例えば２５mm程度と狭い空間であっても下地用面材９を強固に固定することが出来る。
【００２３】
図３及び図４に示すように、戸袋パネル１の上端部１ａ、下端部１ｂ及び柱材５側の一方の縦端部１ｃはビス13により鴨居材３、敷居材４及び柱材５にそれぞれ固定される。そして、表面材となる石膏ボード８を金属製の縦材７の水平片７ｃ、木製の縦材６及び柱材５に当接してビス13により固定する。間口の開口側には額縁14が取り付けられ、壁となる石膏ボード８と床材16との取り合いには巾木15が取り付けられる。
【００２４】
上記構成によれば、鴨居材３、敷居材４、柱材５に対する取付部を金属製の戸袋パネル１に一体的に形成した構成であるため、戸袋パネル１の周辺に別途、取付用の枠材を取り付ける必要がなく製作が容易に出来、戸袋パネル１の上下寸法及び幅寸法についても高い精度が容易に得られる。
【００２５】
また、戸袋パネル１面に当接して下地用面材９を容易に取り付けることが出来、該下地用面材９を利用して手摺り10等を容易に取り付けることが出来る。
【００２６】
また、戸袋パネル１の左右方向の中間部に設ける縦材７の取付片７ａを戸袋パネル１面に対して両面接着テープ11により固定することでビス止めなどの工数を減らして組み立て作業を容易にすることが出来る。
【００２７】
また、戸袋パネル１と縦材７が金属製の同質材料とすることで両面テープ11の選定が容易で高い接着力を確保することが出来る。
【００２８】
また、戸袋パネル１の柱材５側縦端部１ｃの柱材５への取付部は該戸袋パネル１と一体に成形しているので、戸袋パネル１と柱材５への取付部となる枠材とを止め付ける釘が不要となり、戸袋パネル１の柱材５側縦端部１ｃの内部には釘が突出しない。故に下地用面材９を縦材７と柱材５側縦端部１ｃの間に入れる場合であっても、下地用面材９は釘等と干渉することがなく、容易に設置することが出来る。
【産業上の利用可能性】
【００２９】
本発明の活用例として、引き戸の戸袋パネルに適用することが出来る。
【図面の簡単な説明】
【００３０】
【図１】本発明に係る戸袋パネルの構成を示す斜視説明図である。
【図２】（ａ）は図１のＡ−Ａ断面図、（ｂ）は図１のＢ−Ｂ断面図である。
【図３】本発明に係る戸袋パネルを鴨居材と敷居材と柱材に取り付けた様子を示す斜視説明図である。
【図４】（ａ）は図３のＣ−Ｃ断面図、（ｂ）は図３のＤ−Ｄ断面図である。
【図５】（ａ）は戸袋パネル面に当接して下地用面材を取り付けた様子を示す正面図、（ｂ）は下地用面材の左右両端部に断面コ字形状の枠材を嵌合した様子を示す斜視図、（ｃ）は戸袋パネル面に当接して取り付けた下地用面材に手摺りを取り付けた様子を示す断面説明図である。
【符号の説明】
【００３１】
１…戸袋パネル
１ａ…上端部
１ｂ…下端部
１ｃ…縦端部
１ｄ…縦端部
２…引き戸
３…鴨居材
４…敷居材
５…柱材
６…縦材
７…縦材
７ａ…取付片
７ｂ…起立片
７ｃ…水平片
８…石膏ボード
９…下地用面材
10…手摺り
11…両面接着テープ
12…枠材
12ａ…突出部
12ｂ…水平片
12ｃ…水平片
13…ビス
14…額縁
15…巾木
16…床材
17…補強材
【図１】
2010150827.tif 000003
【図２】
2010150827.tif 000004
【図３】
2010150827.tif 000005
【図４】
2010150827.tif 000006
【図５】
2010150827.tif 000007